(57)【要約】【課題】通電発熱体への体毛の導入効率を向上させた体毛処理装置を提供する。【解決手段】この課題を解決するために、通電により発熱して体毛を焼き切る通電発熱体３７と、前記通電発熱体３７を取り付ける基部２３と、前記基部２３を前記通電発熱体３７と共に振動させる振動発生部１３と、を備え、前記通電発熱体３７が一つ以上の線状部材３８からなり、前記線状部材３８が前記基部２３に一直線状に切断幅を有して取り付けられ、前記振動発生部１３が前記線状部材３８の切断幅に沿った方向に前記基部２３及び通電発熱体３７を振動させるものとした。【選択図】図１
2012070799.tif 000002
【特許請求の範囲】
【請求項１】
通電により発熱して体毛を焼き切る通電発熱体と、前記通電発熱体を取り付ける基部と、前記基部を前記通電発熱体と共に振動させる振動発生部と、を備え、前記通電発熱体が一つ以上の線状部材からなり、前記線状部材が前記基部に一直線状に切断幅を有して取り付けられ、前記振動発生部が前記線状部材の切断幅に沿った方向に前記基部及び通電発熱体を振動させるものであることを特徴とする体毛処理装置。
【請求項２】
前記基部が円筒状であると共に、前記通電部材と共に前記基部を軸回りに回転させる回転機構部を備え、前記基部の軸芯に前記回転機構部の回転中心が位置し、前記線状部材を前記基部の前記軸芯と平行に配置したものであることを特徴とする請求項１に記載の体毛処理装置。
【請求項３】
前記基部が前記円筒の外周面に、前記軸芯に沿って凹んだ溝と、櫛状のコームと、を有し、前記溝に前記通電発熱体を配置したものであることを特徴とする請求項２に記載の体毛処理装置。
【請求項４】
装置本体の一端にケースを備えると共に、前記ケースが前記基部を支持し、前記振動発生部が前記装置本体に対して前記ケースを振動させるものであることを特徴とする請求項１〜３のいずれかに記載の体毛処理装置。
【請求項５】
前記振動発生部が偏心カムを有し、前記偏心カムにより前記基部を振動させるものであることを特徴とする請求項１〜４のいずれかに記載の体毛処理装置。
【請求項６】
前記ケースが脱着自在なフレームを備え、前記ケースが前記フレームを介して前記基部を支持するものであることを特徴とする請求項４に記載の体毛処理装置。
【発明の詳細な説明】
【技術分野】
【０００１】
本発明は、体毛処理装置、殊に通電発熱体を用いて体毛を処理する体毛処理装置に関するものである。
【背景技術】
【０００２】
従来から、体毛処理装置として、切断刃を用いて体毛を切断して体毛処理を行うものや、体毛を皮膚から引き抜き体毛処理を行うものや、通電発熱体で体毛を焼き切り体毛処理を行うもの（例えば、特許文献１等参照）等がある。切断するものでは処理した体毛の先端部が鋭い切断面として残るため、処理した皮膚の位置によっては衣服等と擦れて、不快感を与えることがあり、引き抜くものでは引き抜く際に痛みを伴うことがある。対して、焼き切るものは体毛の先端部が鋭くならずにすみ、使用者に不快感を与え難いと共に、処理の際に痛みを伴い難いものとなっている。
【先行技術文献】
【特許文献】
【０００３】
【特許文献１】特開平１０−２３４４６０号公報
【発明の概要】
【発明が解決しようとする課題】
【０００４】
しかしながら、従来の焼き切るものでは、体毛を起す（起毛させる）ための櫛が本体ハウジングに固定されており、使い方の慣れない使用者には櫛で起毛させ辛く、通電発熱体に体毛が接触し難いものである。そのため、体毛を処理したい対象位置（皮膚）上に対して複数回の体毛処理動作が行われることとなり、体毛処理に時間（手間）がかかると共に、通電発熱体の熱や櫛の複数回の往復接触等で使用者が不快感を受ける恐れがある。
【０００５】
そこで、この事情を鑑み、従来のものより、通電発熱体への体毛の導入効率を向上させた体毛処理装置を提供することを課題とした。
【課題を解決するための手段】
【０００６】
上記課題を解決するために、本発明の体毛処理装置は、通電により発熱して体毛を焼き切る通電発熱体と、前記通電発熱体を取り付ける基部と、前記基部を前記通電発熱体と共に振動させる振動発生部と、を備え、前記通電発熱体が一つ以上の線状部材からなり、前記線状部材が前記基部に一直線状に切断幅を有して取り付けられ、前記振動発生部が前記線状部材の切断幅に沿った方向に前記基部及び通電発熱体を振動させるものであることを特徴とする。
【０００７】
この体毛処理装置として、前記基部が円筒状であると共に、前記通電部材と共に前記基部を軸回りに回転させる回転機構部を備え、前記基部の軸芯に前記回転機構部の回転中心が位置し、前記線状部材を前記基部の前記軸芯と平行に配置したものであることが好ましい。
【０００８】
この体毛処理装置として、前記基部が前記円筒の外周面に、前記軸芯に沿って凹んだ溝と、櫛状のコームと、を有し、前記溝に前記通電発熱体を配置したものであることが好ましい。
【０００９】
この体毛処理装置として、装置本体の一端にケースを備えると共に、前記ケースが前記基部を支持し、前記振動発生部が前記装置本体に対して前記ケースを振動させるものであることが好ましい。
【００１０】
この体毛処理装置として、前記振動発生部が偏心カムを有し、前記偏心カムにより前記基部を振動させるものであることが好ましい。
【００１１】
この体毛処理装置として、前記ケースが脱着自在なフレームを備え、前記ケースが前記フレームを介して前記基部を支持するものであることが好ましい。
【発明の効果】
【００１２】
このような構成としたことで、従来のものより、通電発熱体への体毛の導入効率を向上させることができる。
【図面の簡単な説明】
【００１３】
【図１】実施形態の一例の体毛処理装置の平面図である。
【図２】同上のＡ−Ａ断面図である。
【図３】同上の一外側面側を分解した斜視図である。
【図４】図３の外側面に対向する外側面側を分解した斜視図である。
【図５】回転シリンダを分解した斜視図である。
【図６】同上の（ａ）平面図であり、（ｂ）Ｂ−Ｂ断面図である。
【図７】同上の図６ａを反対側から視た平面図である。
【図８】体毛処理部の変形例の（ａ）フーレムをケースから分離した斜視図であり、（ｂ）フレームをケースの内部側から視た斜視部である。
【発明を実施するための形態】
【００１４】
以下、図面に基づいて本発明の実施形態を例示して説明する。
【００１５】
実施形態の一例の体毛処理装置は、図１−７に示すように、外側面８で囲まれた矩形状の本体１の一端に、体毛を処理する体毛処理部２１を備えており、体毛処理部２１は本体１から分割された中空のケース４２で外郭が形成されている。
【００１６】
そして、体毛処理部２１は、回転自在に軸支された回転シリンダ２２と、回転シリンダ２２と共に回転する線状部材３８からなる通電発熱体３７と、回転シリンダ２２に体毛を導入させる体毛導入口と、を備えている。更に、本体１は、回転シリンダ２２を回転させる回転機構部２と、装置を制御する制御部９と、体毛処理部２１を振動させる振動発生部１３と、各部に電力を供給する電源部７と、各部を電気的に接続する導電部材と、外部操作される操作部６と、を備えている。そして、外側面８は使用者が把持可能な把持面となっている。
【００１７】
すなわち、本装置は本体１を把持して使用すると共に、皮膚等の体毛処理を行いたい部位に体毛導入口を当てて、本体１を該部位に沿って摺り動かすことで、体毛導入口に体毛を導入し、導入した体毛を通電発熱体３７で焼き切るものとなっている。そして、通電発熱体３７は、振動発生部１３によって体毛処理部２１ごと振動されると共に、回転シリンダ２２の回転に伴って回転するものとなっている。なお、導電部材は、後述の通電具１０を除き説明や図示を省略するが、導電部材は、例えば、導電板やリード線、或いは導電性薄膜等の電気信号や電力を伝達する導電性を有した部材である。
【００１８】
詳しくは、回転機構部２が、電源部７の給電により駆動する駆動源３と、駆動源３の回転駆動を回転シリンダ２２に伝達する駆動伝達部４と、回転シリンダ２２を軸支する軸部材４１（詳細は後述する）と、からなる。
【００１９】
そして、駆動源３は、例えば、電源部７から電力供給を受けて回転駆動する第１モータであり、駆動伝達部４は、例えば、複数の歯車からなる歯車組であり、各歯車は軸方向に沿って回転軸を平行に並べて配置されている。更に、歯車組は、駆動源３の位置する上流側から、回転シリンダ２２の位置する下流側に、各歯車を介して回転駆動を伝達している。すなわち、歯車組は、駆動伝達の上流端に位置する歯車が駆動源３（第１モータ）の駆動軸の一端に取り付けられており、下流端に位置する歯車５が回転シリンダ２２の駆動受け部３３（詳細は後述する）に噛み合っている。
【００２０】
このように、回転機構部２は、駆動源３の回転駆動を駆動伝達部４を介して回転シリンダ２２に伝達することで、回転シリンダ２２を軸部材４１の軸回りに回転させるものとなっている。なお、駆動伝達部４は、歯車のみで構成したもの（歯車組）に限らず、環状のベルトやチェーン、或いは歯車組の回転軸に直交して軸芯を有する棒状の伝達ピン等の駆動伝達部４材で回転駆動を伝達するものであってもよい。以下、軸部材４１の軸芯に沿った方向を軸方向とする。そして、回転シリンダ２２の回転する向きを回転方向とし、回転方向の先端側を回転前方とすると共に、反対側を回転後方とする。
【００２１】
振動発生部１３は、例えば、偏心回転して体毛処理部２１を軸方向に振動させる偏心カム１４であり、該偏心カム１４は、振動を発生させる振動源と、発生した振動による体毛処理部２１の振動方向を規定する振動規定部と、からなる。
【００２２】
振動源は、第１モータと異なる動力源である第２モータ１５と、第２モータ１５の回転駆動を偏心して出力する偏心部１６と、で構成されている。そして、偏心部１６は体毛処理部２１の本体１側の端面に設けられた凹部１７に配置されている。そのため、振動源は、第２モータ１５の回転駆動を偏心部１６で偏心して出力すると共に、偏心部１６が凹部１７を介して体毛処理部２１に接触することで、体毛処理部２１を振動させるものとなっている。
【００２３】
また、振動規定部は、軸方向に沿って夫々軸芯を有した二本のガイド軸１８と、ガイド軸１８に沿ってスライドする板状の二つの被ガイド部１９と、各被ガイド部１９が配置された二つのガイド配置凹所２０と、で構成されている。ガイド配置凹所２０は夫々本体１の一端に設けられると共に、他端側に向けて凹んでおり、振動源を挟んで互いに軸方向に並んで配置されている。
【００２４】
そして、被ガイド部１９は被ガイド部１９は夫々体毛処理部２１と一体で設けられると共に、体毛処理部２１から本体１側に向けて突出しており、各ガイド配置凹所２０に夫々配置されている。該被ガイド部１９は互いの板面が軸方向に対向して位置しており、該板面にはガイド軸１８が挿通される挿通孔を二つずつ備えている。更に、ガイド軸１８は軸方向に沿って二本が平行に並ぶと共に、各被ガイド部１９の挿通孔に挿通されており、ガイド軸１８上を被ガイド部１９が摺り動いてスライド自在となっている。すなわち、振動規定部は体毛処理部の振動する方向（振動方向）を軸方向に沿ったものに規定するものとなっている。
【００２５】
そのため、体毛処理部２１は被ガイド部１９を介してガイド軸１８に沿った軸方向にのみスライド可能となっており、振動源からの振動を受けると、振動規定部によって軸方向にスライドして振動するものとなっている。なお、振動発生部１３は、偏心カム１４を用いたものに限らず、クランク機構や弾性体等で体毛処理部２１を直に往復移動させて振動させるものや、電磁石等の磁気を用いて振動させるもの等であってもよい。
【００２６】
電源部７は、二次電池やバッテリ等の内部電源からなり、内部電源消耗時には、外側面８に設けられた電池カバーを本体１から取り外して、内部電源を新たなものに交換することで、消耗した電力を回復するものとなっている。なお、電源部７は外部電源に接続して電力供給を受けるものであってもよい。
【００２７】
そして、操作部６は外部操作されることで、電源部７から各部への電力の供給と遮断（電源のオンオフ）を切り換えるスイッチ部を備えている。なお、操作部６は振動発生部１３の振動動作のオンオフの外部操作も更に可能であれば、回転シリンダ２２の回転のみの体毛処理と、回転に振動を組み合わせた体毛処理と、を選択的に行えるものとなり好ましい。
【００２８】
また、制御部９は操作部６の外部操作に応じて通電発熱体３７へ給電のオンオフを制御すると共に、電源部７からの電力を昇圧する昇圧回路を有している。そのため、制御部９は、給電時に、電源部７からの電力を昇圧した後、通電具１０を介して通電発熱体３７に供給している。なお、制御部９は通電発熱体３７の制御のみに限らず、回転機構部２の回転数等や振動発生部１３の振動数等やこれらの給電のオンオフ等を更に制御するものであってもよい。
【００２９】
そして、通電具１０は、本体１に設けられた第１通電部１１と、体毛処理部２１に設けられた第２通電部１２と、に分割されている。そのため、体毛処理部２１の振動に伴って、第２通電部１２が第１通電部１１に対して電気的に接続した状態を維持して摺り動くものとなっている。
【００３０】
詳しくは、第１通電部１１の一端が制御部９と電気的に接続されており、他端が本体１の一端から体毛処理部２１側に露出している。そして、第２通電部１２は一端が第１通電部１１の他端に接触して電気的に接続されており、第２通電部１２の他端側は回転シリンダ２２と弾性的に接触しながら電気的に接続されている。なお、第２通電部１２は、例えば、導電性を有した板ばね等の弾性を有する導電部材で構成したものが好ましいが、通電具１０を別部材の弾性体で通電部材４５側に付勢して、通電具１０を通電部材４５と弾性的に接触させてもよい。
【００３１】
また、体毛処理部２１は、中空のケース４２で外郭が構成されており、ケース４２は本体１側を向く端部に被ガイド部１９を突出して備えており、体毛処理部２１は本体１に対してケース４２ごと軸方向に振動するものとなっている。そして、ケース４２は内部空間に、回転機構部２の軸部材４１及び下流端の歯車５と、回転シリンダ２２と、通電発熱体３７と、第２通電部１２と、が配置されており、該内部空間は各部材を配置する配置空間となっている。更に、軸部材４１の両端がケース４２内部に固定されており、下流端の歯車５は回転自在でケース４２に取り付けられている。
【００３２】
また、ケース４２は他方の端部に外部と中空の内部空間を連通させる開口部４４を備えており、開口部４４から回転シリンダ２２の外周面の略半周が外部に露出しており、開口部４４が回転シリンダ２２に体毛を導入する体毛導入口となっている。
【００３３】
そして、回転シリンダ２２は、円筒状の基部２３と、通電発熱体３７と電気的に接続された通電部材４５と、通電発熱体３７に張力をかける張力付与部４０と、通電部材４５を基部２３に取り付ける取付部３２と、からなる。
【００３４】
基部２３は内周に略同芯で軸部材４１が挿し通されており、軸部材４１の周面を基部２３が軸回りに摺り動くことで、回転シリンダ２２が回転するものとなっている。そして、基部２３は円筒の外周面に、円筒の軸方向の寸法全体に亘って軸芯側に凹んだ二本の溝２４と、皮膚或いは体毛に接して起毛する櫛状のコーム２５と、を備えている。更に、二つの溝２４は円周を二等分する位置に設けられており、基部２３の外周面は溝２４によって二等分されている。
【００３５】
コーム２５は溝２４毎に夫々形成された櫛部２６からなり、各櫛部２６は、起毛すると共に皮膚を押える櫛歯２７と、皮膚を押える肌押え部２８と、を備えており、二つの櫛歯２７は櫛歯２７によって形成される凹陥部によって区画されている。
【００３６】
詳しくは、櫛歯２７が溝２４より回転前方の位置に設けられると共に、軸方向に沿って複数並んで配置されている。そして、各櫛歯２７は、溝２４の近傍の部位が回転シリンダ２２のラジアル方向に最も突出すると共に、該部位から回転前方に凹陥部を有している。そのため、一方の櫛部２６の櫛歯２７は、回転前方に位置する他方の櫛部２６の肌押え部２８から一方の櫛部２６の凹陥部によって区画されている。
【００３７】
また、肌押え部２８は溝２４より回転後方に位置すると共に、軸方向に沿って複数並んで設けられており、回転シリンダ２２のラジアル方向の先端に位置する先端部位が、基部２３と略同芯の円弧状になっている。そして、櫛歯２７の溝２４近傍の部位の上記ラジアル方向の先端と、肌押え部２８の先端部位が、基部２３の軸芯を中心とした同一の仮想円の円周上に位置している。
【００３８】
すなわち、櫛部２６の上記先端と肌押え部２８の先端部位が回転シリンダ２２から略同じ寸法でラジアル方向に突出している。そのため、櫛部２６は溝２４の前後で回転シリンダ２２に当接される皮膚を夫々櫛歯２７と肌押え部２８で押えており、櫛部２６は溝２４内への皮膚の落ち込み量を調整している。なお、櫛部２６の形状は、例示の構成に限らず、回転方向の前後に夫々櫛歯２７を備えたものや、前後に夫々肌押え部２８を備えたもの等であってもよい。
【００３９】
また、溝２４は基部２３の外周に開口面を有すると共に、軸方向の両端にも開口しており、溝２４は夫々線状部材３８が一本ずつ配置されている。そして、線状部材３８は該開口面に張り渡された直線状の部位が通電時に発熱する切断線部３９となっており、発熱した切断線部３９に体毛を接触させることで、体毛が焼き切られて、体毛処理が行われる。すなわち、切断線部３９の軸方向の寸法が、本装置における通電発熱体３７で体毛を処理可能な切断幅となっている。
【００４０】
更に、線状部材３８は一端が他端側に向けて溝２４内で折り返されており、Ｕ字状に屈曲させた姿勢で溝２４に配置されている。そのため、線状部材３８は、Ｕ字状に屈曲可能で且つ、通電に伴い発熱して体毛を切断可能な部材であればよく、例えば、ニッケルクロム合金等の通電時に発熱する金属製のワイヤーが好ましい。もちろん、線状部材３８は金属製に限らず、通電に伴い発熱して体毛を焼き切ることが可能であれば、炭素繊維や樹脂等で形成してもよい。
【００４１】
また、線状部材３８の一端は張力付与部４０の一端に固定されており、他端が通電部材４５に固定されている。該張力付与部４０は線状部材３８の一端を軸方向に引っ張り、線状部材３８に張力を加えており、張力付与部４０は張力によって切断線部３９の弛みを抑制している。そして、張力付与部４０は、例えば、コイルばね等のばね材が好ましい。なお、他端も張力付与部４０で保持して、線状部材３８の両端に張力を付与してもよい。
【００４２】
更に、張力付与部４０の他端は保持部３６に取り付けられており、保持部３６は取付部３２に設けられている。該保持部３６は、例えば、他端を引っ掛けるフックや爪等が好ましいが、他端と嵌まり合う突起や凹み等であってもよい。なお、保持部３６は張力付与部４０を取付部３２に保持するものに限らず、基部２３に保持するものであってもよい。ましてや、張力付与部４０を溶接や溶着等で取付部３２や基部２３に他端を直接固定して保持部３６となる部材を削減してもよい。
【００４３】
また、基部２３は軸方向の両端面に夫々、他方の端面側に凹んだ凹所３０と、軸方向に沿って突出した突起２９と、からなる結合部を有している。そして、結合部は夫々取付部３２に設けられた被結合部と嵌まり合うことで、取付部３２を基部２３に固定するものとなっている。
【００４４】
詳しくは、凹所３０が円筒と略同芯の環状で他方の端面側に凹んで形成されており、環の内径は軸部材４１の外径と略同寸となっている。そして、突起２９は凹所３０より外周側で且つ軸方向に視て溝２４と重ならない位置に設けられており、突起２９を軸方向に視た形状は円周に沿った円弧状の一辺を有した三角形（扇形）となっている。
【００４５】
また、取付部３２は基部２３と略同芯で軸方向に厚さを有した円板で主体が構成されており、円板の中心に軸部材４１が挿し通される貫通孔を略同芯で有すると共に、基部２３に当接される板面に被結合部を備えている。そして、被結合部は、凹所３０と同芯で嵌まり合う環状の凸部３４と、突起２９と嵌まり合う軸方向に視て三角形状に切り欠かれた切欠き３５と、からなる。
【００４６】
すなわち、凸部３４と凹所３０が嵌まり合うと共に、突起２９と切欠き３５が嵌まり合うことで、取付部３２が基部２３に固定されると共に、取付部３２が基部２３と共に軸部材４１の軸周りに回転するものとなる。なお、符号３３は回転機構部２の駆動を受ける駆動受け部であり、駆動受け部３３で駆動を受けることで回転シリンダ２２が回転するものである。そして、駆動受け部３３は、例えば、一方の取付部３２と一体成形により形成された歯車であり、該歯車は駆動伝達部４の下流側の歯車５に噛み合っている。
【００４７】
また、取付部３２は通電部材４５が円板の周面に沿って取り付けられている。該通電部材４５は導電性を有した略同形状の二枚の板状部材４６で主体が構成されており、二枚の板状部材４６は円板の周面に沿った曲面を有している。そして、各板状部材４６は夫々異なる位置で取付部３２の周面の略半分を覆うと共に、夫々他方の取付部３２の各板状部材４６と軸方向に並んで対を成している。
【００４８】
更に、板状部材４６は曲面の周方向の端部が内周側に屈曲されており、該端部は突起２９と切欠き３５の嵌まり合う間に位置しており、板状部材４６は突起２９及び切欠き３５の間に挟まれて取付部３２に保持されている。なお、板状部材４６は、例えば、導電性を有した金属製が好ましい。
【００４９】
また、板状部材４６は線状部材３８と電気的に接続する接点部４７を曲面上に有しており、接点部４７は溝２４と軸方向に並んで位置している。そして、接点部４７は、溝２４内に臨み線状部材３８と接触する接触部４８と、線状部材３８が挿し通される挿通孔と、を備えており、線状部材３８は挿通孔に挿し通されることで、溝２４の円筒の周方向に沿った寸法の略中間に位置決めされている。
【００５０】
更に、軸方向に対を成す接点部４７の一方には線状部材３８の他端を固定する固定部４９を備えており、線状部材３８は固定部４９及び張力付与部４０によって、溝２４内に保持されると共に、各接触部４８と電気的に接続されている。なお、符号３１は軸方向からラジアル方向に略Ｌ字状に貫通した折り返し穴であり、挿通孔に挿し通した線状部材３８の一端側を溝２４内に折り返して張力付与部４０で張力を付与した際に、挿通孔の縁部で線状部材３８が傷付くことを抑制している。
【００５１】
すなわち、線状部材３８は、挿通孔により位置決めされると共に、一端側を折り返し穴３１を介してＵ字に折り返された状態で、一端が張力付与部４０に保持されると共に、他端が固定部４９に固定されている。そして、線状部材３８の両接触部４８の間に位置する部位が体毛処理用の切断線部３９となる。なお、基部２３の軸芯から切断線部３９までのラジアル方向に沿った寸法は、基部２３の軸芯から櫛部２６のラジアル方向の先端部位までの寸法より若干短くなっており、櫛部２６に接触した皮膚が切断線部３９に接触し難い構成となっている。
【００５２】
また、通電部材４５は板状部材４６の曲面に第２通電部１２の他端側が接触することで、通電具１０を介して制御部９と電気的に接続されるものである。そして、回転シリンダ２２の回転時には、電気的な接続を維持した状態で板状部材４６が通電具１０に対して摺り動き、半周毎に通電具１０と接触する板状部材４６が切り換わるものとなっている。
【００５３】
更に、各板状部材４６が通電具１０に接触する半周は、夫々保持した線状部材３８が開口部４４に位置する間となっており、残りの半周である外部に露出しない間は通電具１０と接触しないものとなっている。すなわち、回転シリンダ２２が半周する毎に、通電される線状部材３８が交互に切り換わると共に、各線状部材３８は夫々開口部４４を介して外部に露出した際に発熱するものとなっている。
【００５４】
このように、通電発熱体３７を回転シリンダ２２に取り付けて回転させたことで、使用者による装置の皮膚上の移動とは別動作で通電発熱体３７が皮膚に対して移動されて、体毛に通電発熱体３７を接触し易くすることができる。そして、通電発熱体３７が体毛に接触し易くなったことで、通電発熱体３７で体毛が熱切断され易くなり、通電発熱体３７の回転しない従来の焼き切る体毛処理装置に比べて、皮膚の同じ位置に対して体毛処理を行う回数を低減することができる。
【００５５】
そのため、従来の焼き切るものより体毛処理を容易に行うことができて、使用者に不快感を与え難くできると共に、体毛処理時に皮膚に付与される通電発熱体３７からの熱も低減できて、体毛処理装置による皮膚の過熱を抑制することができる。更に、体毛を焼き切り体毛処理を行うため、体毛を引き抜くものに比べて、体毛処理時に痛みを生じ難くすることができると共に、切断刃で切断するものに比べて、処理後の皮膚が衣服等と擦れても、使用者に不快感を与え難くすることができる。
【００５６】
そして、体毛処理部２１を軸方向に振動させたことで、回転する通電発熱体３７を、軸方向に往復移動（スライド）させながら、体毛に接触させることができる。そのため、切断線部３９が軸方向に幅を有した線で体毛に接触するものとなり、切断線部３９が体毛に点で接触する振動しない場合に比べて、切断線部３９の体毛との接触面積を増加できて、体毛処理効率を向上することができる。そして、切断線部３９の接触面積が増加したことで、体毛一本あたりの切断に伴う切断線部３９の接触位置毎の温度低下を軽減できて、接触位置毎の所定温度に低下するまでに切断可能な体毛の量を増加させることができる。
【００５７】
また、回転シリンダ２２の外周面にコーム２５を設けたことで、コーム２５が回転しながら体毛や皮膚に接触して、コーム２５で体毛を起き上がらせ易くなると共に、体毛を溝２４内に導入させ易くなる。そのため、コーム２５を備えていないものやコーム２５の回転しないものに比べて、体毛をより溝２４に導入し易くできると共に、体毛を起した状態で溝２４に導入できて、体毛が線状部材３８に切断され易くなり、体毛処理効率を向上することができる。
【００５８】
そして、回転シリンダ２２が体毛処理部２１ごと振動するため、コーム２５で体毛をより起き上がらせ易くなると共に、溝２４内に導入させ易くなり、体毛処理効率をより向上することができる。更に、溝２４の回転後方に肌押え部２８を配置したことで、櫛刃２７と肌押え部２８が溝２４の前後に位置する皮膚を押えて、皮膚の溝２４内への落ち込みが調整されて、発熱した線状部材３８への皮膚の接触を抑制することができる。
【００５９】
また、通電部材４５を円周方向に沿って機械的及び電気的に略同形状で線状部材３８と同数に分割したことで、線状部材３８毎に通電非通電を設定できると共に、回転シリンダ２２の回転に伴って通電非通電を容易に切り換えることができる。
【００６０】
そのため、線状部材３８が体毛導入口内に位置する間のみ通電させることができると共に、体毛導入口から露出しない体毛を切断できない位置を移動する間の線状部材３８の通電を停止することができる。すなわち、体毛を切断できない位置での線状部材３８の発熱を抑制して、通電発熱体３７の発熱による装置の温度上昇を軽減できて、装置の熱変形や電気的な接続部分の接触不良等の熱による不具合の発生を抑制することができる。なお、線状部材３８は二本に限らず、三本以上設けてもよく、このものでは線状部材３８の数に応じて回転シリンダ２２の円周を等分する位置に各線状部材３８を配置することが好ましい。
【００６１】
また、図８に示す変形例のように、体毛処理部２１が、ケース４２に脱着自在のフレーム４３を有すると共に、フレーム４３に軸部材４１を固定して、回転シリンダ２２をフレーム４３を介してケース４２から脱着自在としてもよい。
【００６２】
詳しくは、ケース４２に爪５０を有しており、ケース４２に爪５０の引掛かる引掛け部５１を有しており、爪５０が引掛け部５１に引掛かることで、フレーム４３がケース４２に取り付けられている。そして、フレーム４３は、体毛導入口となる開口部４４を有すると共に、内面に軸部材４１が固定されており、回転シリンダ２２は軸部材４１を介してフレーム４３に取り付けられている。
【００６３】
すなわち、爪５０の引掛かりを引掛け部５１から外すことで、フレーム４３をケース４２から取り外せるため、フレーム４３を介して回転シリンダ２２及び通電発熱体３７を容易に本体１（装置）から分離させることができる。そのため、通電発熱体３７の破損や回転シリンダ２２の経年劣化時に、フレーム４３を交換することで、装置を分解しなくても、通電発熱体３７や回転シリンダ２２を容易に新たなものに交換することができる。
【符号の説明】
【００６４】
２  回転機構部
１３  振動発生部
１４  偏心カム
２３  基部
２４  溝
２５  コーム
３７  通電発熱体
３８  線状部材
４２  ケース
４３  フレーム
【図１】
2012070799.tif 000003
【図２】
2012070799.tif 000004
【図３】
2012070799.tif 000005
【図４】
2012070799.tif 000006
【図５】
2012070799.tif 000007
【図６】
2012070799.tif 000008
【図７】
2012070799.tif 000009
【図８】
2012070799.tif 000010